(57)【特許請求の範囲】
【請求項１】
ミシンフレームに回動可能に支持され、傾斜角度を変えることにより送り歯の布送り量を変えるカム部を有する送り調節器（３１）と、
先端側に前記カム部に当接する係合部を有し、基端側に第１ネジ部（３２ｂ、３２ｄ）が形成されると共に、その外周に、一直線に沿った平面部を有する送り調節体（３２）と、
一直線に沿ってミシンフレームに形成され、前記平面部に係合して前記送り調節体を軸線方向に進退可能に支持する壁面（Ｆｂ）と、
前記ミシンフレームに固定される送り調節台（３５）と、
前記送り調節台を介して送りダイヤルと一体化されると共に、前記送り調節体の第１ネジ部に螺合する第２ネジ部（３３ａ、３３ｃ）が形成された送り調節軸（３３）を備え、
前記送りダイヤルの回動に伴い、前記送り調節軸を介して、前記送り調節体が前記壁面に沿って、非回転、且つ、軸線方向に進退移動することを特徴とするミシンの送り量調節装置。
【請求項２】
前記壁面は、ミシンフレームの穴に形成されると共に、
前記送り調節体の第１ネジ部は、その内周に形成された雌ネジで有り、
前記送り調節軸の第２ネジ部は、その外周に形成された雄ネジであることを特徴とする請求項１に記載のミシンの送り調節装置。
【請求項３】
前記送り調節台の中央に取付け穴（３５ａ）を設け、前記取付け穴を介して、前記送り調節軸と前記送りダイヤルを結合する固定ネジ（３８）を備えることを特徴とする請求項１又は請求項２に記載のミシンの送り量調節装置。
【発明の詳細な説明】
【０００１】
【発明の属する技術分野】
本発明は、ミシンにおける布送り量を調節する送り量調節装置に関するものである。
【０００２】
【従来の技術】
図４（１）を参照し、例えば、本縫いミシンにおける布送り装置の概略を説明する。
【０００３】
図示の布送り装置は、上下運動する二又ロッド１に水平送り腕２を介して連結され、小角度の往復回転運動を行なう水平送り軸３と、上下運動する上下送りロッド４に上下送り腕５を介して連結され、小角度の往復回転運動を行なう上下送り軸６と、水平送り軸３及び上下送り軸６のそれぞれの端部に固定された腕７、腕８と、一端が腕７に回動可能に支持され、他端の二股部に腕８に取り付けられた角駒９が係合する、送り歯１０を備えた送り台１１と、上端がネジ１２によりミシンフレームに回動可能に支持された送り調節器１３と、上端がネジ１４により二又ロッド１に回動可能に支持されると共に下端がネジ１５により送り調節器１３の中間部に回動可能に支持された二股リンク１６と、送り調節器１３のカム部１３ａ、１３ｂとの接触位置を変えることにより送り調節器１３の傾き程度を変える送り調節体１７と、送り調節器１３の下端の二股部に係合して送り調節器１３を回動させることにより布送り方向を切換える送りレバー１８とよりなっている。
【０００４】
この布送り装置においては、水平送り軸３と上下送り軸６のそれぞれの小角度の往復回転運動による腕７、腕８のそれぞれの揺動運動が合成された結果、各腕７、８に支持されている送り台１１上の送り歯１０が四行程運動を行なう。その四行程運動において、送り歯１０が針板から出て前方に移動するときに布送りが行なわれる。
【０００５】
送り調節体１７のねじ込み量を変えると、送り調節器１３の傾き程度が変わり、送り調節器１３に支持されているリンク腕１６の下端の位置が移動する。リンク腕１６の上端はネジ１４により二又ロッド１に回動可能に支持されているので、リンク腕１６の下端の位置移動により、二又ロッド１の上下動の分力が変化する。即ち、送り調節体１７のねじ込み量に応じて水平送り軸３の回転角度が決まり、一縫い目分の送布量が調節される。また、送りレバー１８の操作により送り調節器１３の傾きの方向を逆にすると、二股リンク１６の下端の位置が二又ロッド１に対して反対側に移動し、水平送り軸３は逆の運動を行い、布送りは後進送りとなる。
【０００６】
以上の布送り装置における送り量調節装置を構成する送り調節体１７は、雄ネジが形成されていて、図４（２）に示すように、ミシンフレームＦに直接又は間接的に形成された雌ネジに螺合されている。その基部にはプラスチック製の送りダイヤル１９が固定されている。送りダイヤル１９の裏面の外周部には、複数のノッチ部１９ａが等間隔に刻まれている。一方、そのノッチ部１９ａの位置に対応するミシンフレームＦには、底有の穴Ｆａが１つ形成されており、その穴Ｆａの中には、バネ２０及び調節ピン２１が収容されている。従って、送りダイヤル１９に回転力を加えると、ノッチ部１９ａがバネ２０の力に抗して調節ピン２１を押し下げることにより回すことができるが、その後は調節ピン２１がノッチ部１９ａに係合し、送りダイヤル１９は固定される。
【０００７】
【発明が解決しようとする課題】
上記の送りダイヤル１９の調整可能な最小回転角度はノッチ部１９ａのピッチによって規定されるが、送りダイヤル１９は通常プラスチック製であるので、強度を維持するためのノッチ部１９ａのノッチピッチを小さくすることができず、実縫製上の細かな調整は不可能である。より細かな調整を可能とするには、送りダイヤルを丈夫な金属製にしてノッチ部のノッチピッチをより小さくしたり、送りダイヤルの径を大きくして調節ピンを２本設け、ノッチ部を２重に形成することも行なわれているが、それらも無断階に調整できるわけではなく、根本的な解決策にはなっていない。また、ノッチを使わずに、送り調節体のネジ部に板バネを押しつけるものもあるが、板バネの圧力によって送りダイヤルの回転に比較的に大きな力を要し、作業性を低下させる。
【０００８】
本発明は、小さな力で無断階に布送り量を調整し得る、ミシンの送り量調節装置を提供することを目的としている。
【０００９】
【課題を解決するための手段】
上記課題を解決するために、請求項１記載の発明は、
ミシンフレームに回動可能に支持され、傾斜角度を変えることにより送り歯の布送り量を変えるカム部を有する送り調節器（３１）と、
先端側に前記カム部に当接する係合部を有し、基端側に第１ネジ部（３２ｂ、３２ｄ）が形成されると共に、その外周に、一直線に沿った平面部を有する送り調節体（３２）と、
一直線に沿ってミシンフレームに形成され、前記平面部に係合して前記送り調節体を軸線方向に進退可能に支持する壁面（Ｆｂ）と、
前記ミシンフレームに固定される送り調節台（３５）と、
前記送り調節台を介して送りダイヤルと一体化されると共に、前記送り調節体の第１ネジ部に螺合する第２ネジ部（３３ａ、３３ｃ）が形成された送り調節軸（３３）を備え、
前記送りダイヤルの回動に伴い、前記送り調節軸を介して、前記送り調節体が前記壁面に沿って、非回転、且つ、軸線方向に進退移動する構成とした。
請求項２記載の発明は、請求項１記載の発明に加えて、
前記壁面は、ミシンフレームの穴に形成されると共に、
前記送り調節体の第１ネジ部は、その内周に形成された雌ネジで有り、
前記送り調節軸の第２ネジ部は、その外周に形成された雄ネジである構成とした。
請求項３記載の発明は、請求項１又は請求項２に記載の発明に加えて、
前記送り調節台の中央に取付け穴（３５ａ）を設け、前記取付け穴を介して、前記送り調節軸と前記送りダイヤルを結合する固定ネジ（３８）を備える構成とした。
【００１２】
【発明の実施の形態】
図１及び図２を参照し、本発明のミシンの送り量調節装置の第１実施形態について説明する。
【００１３】
この送り量調節装置は、送り調節器３１と、送り調節体３２と、送り調節軸３３と、送りダイヤル３４と、送り調節台３５とより構成されている。
【００１４】
送り調節器３１は、カム部３１ａ又はカム部３１ｂを有する従来と同様の構成を備えている。
【００１５】
円筒状の送り調節体３２は、その基端側筒内に雌ネジ３２ｂが形成されている。送り調節体３２の先端部３２ａは、半円球状の外周面を有しており、送り調節器３１のカム部３１ａ又はカム部３１ｂに円滑に係合可能となっている。また、送り調節体３２の後端には鍔部３２ｃが一体化されており、その鍔部３２ｃには、円盤の両側を切除した平面部３２ｃ’、３２ｃ’が形成されている。
【００１６】
一方ミシンフレームＦには、送り調節体３２を進退可能に嵌合保持する横断面長円形の穴Ｆｂが形成されている。図２（３）において、穴Ｆｂの両側の壁面Ｆｂ’、Ｆｂ’は、送り調節体３２の平面部３２ｃ’、３２ｃ’が摺動可能に当接する平面に形成されている。そのため、次に詳述する送り調節軸３３を回して送り調節体３２を進退させても、送り調節体３２は回転することがない。
【００１７】
送り調節軸３３の外周には、送り調節体３２の雌ネジ３２ｂに螺合する雄ネジ３３ａが形成されている。また、送り調節軸３３の後端部には、脱出防止用の鍔部３３ｂが一体的に形成されると共に、ネジ穴３３ｃが開口、形成されている。
【００１８】
ミシンフレームＦに固定された送り調節台３５は、送り調節軸３３の鍔部３３ｂをミシンフレームＦとの間に挟持して送り調節軸３３がミシンフレームＦから抜けないようにするためのものであり、その中央部には、送り調節軸３３の後端が挿通される穴３５ａが形成されている。
【００１９】
送り調節軸３３は、後端を送り調節台３５の穴３５ａ、波座３７、ワッシャ４０に挿通してから、ネジ３８により送り調節ダイヤル３４と結合して一体化される。ワッシャ４０は、送り調節ダイヤル３４の端面を保護するためのものであり、波座３７は、ゆるみ止めのためのものである。このように、送り調節軸３３と送りダイヤル３４は送り調節台３５を介して一体化されるので、送り調節軸３３は、その鍔部３３ｂが送り調節台３５に係合して抜け出さないばかりでなく、組み立ても簡単である。なお、送り調節軸３３と送りダイヤル３４の対向面には、それぞれ細かい放射状の凹凸が形成されており、これによっても一体化後のゆるみを防ぐことができる。
【００２０】
このような構成の送り量調節装置において、送りダイヤル３４を回すと、それと一体化されている送り調節軸３３が回転する。その送り調節軸３３の雄ネジ３３ａに雌ネジ３２ｂが螺合する送り調節体３２は、その鍔部３２ｃの平面部３２ｃ’とミシンフレームＦの壁面Ｆｂ’とにより軸回りの回転が規制されるので、送り調節台軸３３の回転につれてミシンフレームＦの穴Ｆｂ内を前進又は後退し、その先端部３２ａと、送り調節器３１のカム部３１ａ又はカム部３１ｂとの距離が変わる。そのため、送り調節器３１の傾斜角度が変化して送り歯の布送り量が変わる。
【００２１】
このように構成された本発明の送り調節装置においては、従来の送り量調節装置に比べて、送り調節体３２の部材が１つ増え、且つ、その部材と他の部材との間にグリスが介在することにより、電磁ソレノイドによる自動バック機構作動時の叩き音が著しく低下する。更に、送り調節体３２の外周にはネジが形成されておらず、略全長でミシンフレーム筒状部Ｆｂとの嵌合状態が得られるので、耐振性の高いものとなり、ミシン運転時の布送りの狂いがほとんどなくなる。
【００２２】
次に、図３を参照し、本発明のミシンの送り量調節装置の第２実施形態について説明する。この装置は、基本的には第１実施形態のものと同じであるので、同じ機能をもつ部材には同符号を付し、相違点についてのみ説明する。相違点として取上げなていない部材にも、図に示すとおり、形状の相違点はあるが、それも本質的な影響はないので、説明を省略する。
【００２３】
この送り量調節装置と第１実施形態のものの相違点は、送り調節体３２を中実とし、その外周に雄ネジ３２ｄを形成し、一方、送り調節軸３３を底有の筒状とし、その内周に雌ネジ３３ｃを形成した点である。この雄ネジ３２ｄの形成により、送り調節体３２の鍔部３２ｃの位置をその中間部とせざるを得なくなり、その分、送り調節体３２及び送り調節軸３３のネジ形成部分が第１実施形態のものに比べて短くなる。
【００２４】
平面部３２ｃ’がミシンフレーム筒状部Ｆｂの壁面Ｆｂ’に当接していることにより送り調節体３２の軸回りの回転が規制されること、及び送りダイヤルを回すことにより送り調節軸３３が回転して送り調節体３２が前進又は後退し、送り調節器３１の傾斜角度が変化して送り歯の布送り量が変わる点も、第１実施形態のものと変わらない。なお、本発明は、上記実施形態に限定されることなく種々変更可能である。例えば、正逆送り量を変更するカム部３１ａ、３１ｂを一体に備えるものに代えて、正送り用のカム部材と逆送り用のカム部材を個別に設け、各カム部材にそれぞれ対応して、第１実施形態又は２実施形態の送り調節体と送り調節軸等を設けることにより、正送り量、逆送り量を別々に調節することも可能である。
【００２５】
【発明の効果】
以上説明したように本発明のミシンの送り量調節装置は、小さな力で布送りの調節を無断階に行なうことができるので、布送り量の微調整が容易になり、延いては縫製品質が向上する。また、自動バック機構作動時の叩き音を著しく低減することができる。
【００２６】
送り調節体に雌ネジを形成し、送り調節軸に雄ネジを形成する場合は、送り調節体は略全長でミシンフレームと嵌合状態が得られるので、耐振性の高いものとなり、ミシン運転時の布送りの狂いがほとんどなくなる。
【００２７】
送り調節台を介して送り調節軸と送りダイヤルとを一体化するので、送り調節軸がミシンフレームより抜け出さないばかりでなく、組み立ても簡単である。
【図面の簡単な説明】
【図１】本発明の第１実施形態の送り調節ネジ部を構成する各部品の分解斜視図である。
【図２】本発明の第１実施形態の図であり、（１）は組み立て状態の断面図、（２）は送り調節ネジ部を構成する各部品の分解側面図、（３）はミシンフレーム筒状部と送り調節ネジの関係を説明する図である。
【図３】本発明の第２実施形態の図であり、（１）は組み立て状態の断面図、（２）は送り調節ネジ部を構成する各部品の側面図、（３）は同平面図、（４）はミシンフレーム筒状部と送り調節ネジの関係を説明する図である。
【図４】（１）は従来の布送り装置を構成する部品の組立て斜視図であり、（２）はその送り量調節装置の断面図である。
【符号の説明】
３１    送り調節器
３１ａ  カム部
３１ｂ  カム部
３２    送り調節体
３２ａ  前端部
３２ｂ  雌ネジ
３３    送り調節軸
３３ａ  雄ネジ
３４    送りダイヤル
３５    送り調節台
Ｆ      ミシンフレーム
【図１】
0004406505.tif 000002
【図２】
0004406505.tif 000003
【図３】
0004406505.tif 000004
【図４】
0004406505.tif 000005